(57)【要約】【課題】  携帯式ペット用汚物入れの提供。【解決手段】  中空の容器を具え、該容器の一端に開口があり、該開口は蓋体で閉じ合わされ、且つ該容器に吊掛体が接続され、該容器内に第１内カップと第２内カップが収容され、該第２内カップは第１内カップに対応し嵌合され、各内カップがいずれも平行四辺形体とされ、且つ押圧により平板状となすことができるものとされ、これにより収容空間を縮小可能で、使用の便利性と携帯の容易性が増されている。且つペットを連れて外出する時、簡単な装備だけでペットの糞を掃除できるようにする。【選択図】        図２
2006042704.tif 000002
【特許請求の範囲】
【請求項１】
中空の容器を具え、該容器の一端に開口があり、該開口は蓋体で閉じ合わされ、且つ該容器に吊掛体が接続された携帯式ペット用汚物入れにおいて、
該容器内に第１内カップと第２内カップが収容され、該第２内カップは第１内カップに対応し嵌合され、第１内カップと第２内カップがいずれも平行四辺形体とされ、且つ押圧により平板状とされ得ることを特徴とする、携帯式ペット用汚物入れ。
【請求項２】
請求項１記載の携帯式ペット用汚物入れにおいて、容器、蓋体、第１内カップ、第２内カップがいずれも紙製品とされたことを特徴とする、携帯式ペット用汚物入れ。
【請求項３】
請求項２記載の携帯式ペット用汚物入れにおいて、紙製品が環境保護再生紙とされたことを特徴とする、携帯式ペット用汚物入れ。
【請求項４】
請求項１記載の携帯式ペット用汚物入れにおいて、容器と蓋体にそれぞれ孔が設けられ、これらの孔が吊掛体の挿通に供されて容器と蓋体が該吊掛体で連結されたことを特徴とする、携帯式ペット用汚物入れ。
【請求項５】
請求項１記載の携帯式ペット用汚物入れにおいて、容器の開口に嵌合部が形成され、該嵌合部が蓋体と嵌合されることを特徴とする、携帯式ペット用汚物入れ。
【請求項６】
請求項１記載の携帯式ペット用汚物入れにおいて、吊掛体に調整手段が結合されて吊掛体のサイズを調整可能であることを特徴とする、携帯式ペット用汚物入れ。
【請求項７】
請求項１記載の携帯式ペット用汚物入れにおいて、第１内カップと第２内カップの一端に開口が設けられたことを特徴とする、携帯式ペット用汚物入れ。
【請求項８】
請求項７記載の携帯式ペット用汚物入れにおいて、第１内カップの開口に一組の相互に対応する切欠きが設けられたことを特徴とする、携帯式ペット用汚物入れ。
【請求項９】
請求項７記載の携帯式ペット用汚物入れにおいて、第２内カップの開口が傾斜端を呈することを特徴とする、携帯式ペット用汚物入れ。
【請求項１０】
請求項１記載の携帯式ペット用汚物入れにおいて、第２内カップの各辺の長さが第１内カップの各辺の長さより小さく、これにより第２内カップが第１内カップ内に挿入可能とされたことを特徴とする、携帯式ペット用汚物入れ。
【請求項１１】
請求項１記載の携帯式ペット用汚物入れにおいて、収容ラックを更に具え、該収容ラックが複数の第１内カップと第２内カップの収容に供され、且つ収容ラックの両側に透視部が設けられたことを特徴とする、携帯式ペット用汚物入れ。
【請求項１２】
請求項１１記載の携帯式ペット用汚物入れにおいて、収容ラックに第１スロットと第２スロットが設けられ、該第１スロットと第２スロットが第１内カップと第２内カップに対応し、第１内カップと第２内カップを引き出すのに供されることを特徴とする、携帯式ペット用汚物入れ。
【請求項１３】
請求項１２記載の携帯式ペット用汚物入れにおいて、収容ラックに固定部が設けられ、該固定部が吊掛体に接続されて容器と蓋体が収容ラックに取り外し自在の固定されることを特徴とする、携帯式ペット用汚物入れ。
【請求項１４】
請求項１２記載の携帯式ペット用汚物入れにおいて、収容ラックに吊掛部が設けられ、該吊掛部にロープが接続されて収容ラックが壁に吊掛られたことを特徴とする、携帯式ペット用汚物入れ。
【発明の詳細な説明】
【技術分野】
【０００１】
本発明は携帯式ペット用汚物入れに係り、特にペットの糞を収容する容器とされ、押圧により平板状とすることができ、収容空間を有効に縮小でき、使用の便利性と携帯の容易性が増された携帯式ペット用汚物入れに関する。
【背景技術】
【０００２】
ペット飼育の流行はますます広がる傾向にあり、ペットは人の心を癒し、仕事のストレスを和らげる効果を有する。しかしその排出する糞は異臭、悪臭を放つため妥当に処理されなければ環境を汚染汚染したり外観を悪くし、伝染病を媒介させる。ゆえに簡単、便利な収容容器を提供することが本発明の改良の動機である。
【０００３】
本件発明者は特許文献１に記載の携帯式ペット用汚物入れを提供している。それは、容器、蓋体、吊掛体で構成され、該容器の一端に開口があり、該開口が蓋体に接続されて開放自在に蓋体で閉じ合わされ、該蓋体の内側に筒状部が延設され、該筒状部が容器内部に収容され、別に蓋体の外側に握持部が設けられ、該吊掛体は容器外壁に接続されている。この携帯式ペット用汚物入れはペットの糞を蓋体の筒状部内に収容し、更に糞をごみ箱に捨て、筒状部内部に対して洗浄する必要があり、このため使用者は汚く、不衛生に感じる恐れがある。
【０００４】
上述の問題点を鑑み、出願人は特許文献１を改良した改良した携帯式ペット用汚物入れを提供しており、それは、蓋体の筒状部が蓋体より分離可能とされ、並びに筒状部が第１内カップと第２内カップの組合せ形態とされ、これら内カップに環境保護材料が使用され、ペットの糞と一緒に廃棄でき、蓋体に対する洗浄を不要としている。
【０００５】
しかし、この改良型の携帯式ペット用汚物入れの第１内カップと第２内カップは円筒体とされ、それに最大の収容容量を具備させるため、一般にこれら内カップと容器の寸法は接近するものとされ、且つこれら内カップは押圧して平板状とすることができず、このため購入後に家中に置く時、相当に大きな放置空間を占有し、且つ外出携帯時にも非常に不便である。また、これら内カップにペットの糞を収容する時、これら円筒体の内カップに平らな底端を具備させるために、内カップの開口底端を下圧してそれと地面との接触の幅を大きくしてペットの糞を内カップ中に入れやすくする必要がある。しかしこのような下圧の過程の後、その開口部分に不規則な拡張変形が発生しやすく、このためもう一つの内カップと嵌合させにくくなる。
【０００６】
【特許文献１】台湾特許出願第８７２１８９１１号明細書
【発明の開示】
【発明が解決しようとする課題】
【０００７】
本発明の主要な目的は、一種の携帯式ペット用汚物入れを提供することにあり、それは、第１内カップと第２内カップが押圧により平板状とされ得て、保存時に有効にその放置空間を縮小でき、使用の便利性と携帯の容易性が増された携帯式ペット用汚物入れであるものとする。
【０００８】
本発明の次の目的は、一種の携帯式ペット用汚物入れを提供することにあり、それは、使い捨て式の内カップセットを採用することで、ペットの汚物と一緒に廃棄でき、洗浄不要で洗浄過程中の悪臭に耐える必要がなく、並びにペットの糞との接触を回避でき、動物の糞から人間への伝染病を隔絶できる携帯式ペット用汚物入れであるものとする。
【０００９】
上述の目的を達成するため、本発明は一種の携帯式ペット用汚物入れを提供し、それは、中空の容器を具え、該容器の一端に開口があり、該開口は蓋体で閉じ合わされ、且つ該容器に吊掛体が接続され、該容器内に第１内カップと第２内カップが収容され、該第２内カップは第１内カップに対応し嵌合され、各内カップがいずれも平行四辺形体とされ、且つ押圧により平板状となすことができるものとされ、これにより上述の目的を達成する。
【課題を解決するための手段】
【００１０】
請求項１の発明は、中空の容器を具え、該容器の一端に開口があり、該開口は蓋体で閉じ合わされ、且つ該容器に吊掛体が接続された携帯式ペット用汚物入れにおいて、
該容器内に第１内カップと第２内カップが収容され、該第２内カップは第１内カップに対応し嵌合され、第１内カップと第２内カップがいずれも平行四辺形体とされ、且つ押圧により平板状とされ得ることを特徴とする、携帯式ペット用汚物入れとしている。
請求項２の発明は、請求項１記載の携帯式ペット用汚物入れにおいて、容器、蓋体、第１内カップ、第２内カップがいずれも紙製品とされたことを特徴とする、携帯式ペット用汚物入れとしている。
請求項３の発明は、請求項２記載の携帯式ペット用汚物入れにおいて、紙製品が環境保護再生紙とされたことを特徴とする、携帯式ペット用汚物入れとしている。
請求項４の発明は、請求項１記載の携帯式ペット用汚物入れにおいて、容器と蓋体にそれぞれ孔が設けられ、これらの孔が吊掛体の挿通に供されて容器と蓋体が該吊掛体で連結されたことを特徴とする、携帯式ペット用汚物入れとしている。
請求項５の発明は、請求項１記載の携帯式ペット用汚物入れにおいて、容器の開口に嵌合部が形成され、該嵌合部が蓋体と嵌合されることを特徴とする、携帯式ペット用汚物入れとしている。
請求項６の発明は、請求項１記載の携帯式ペット用汚物入れにおいて、吊掛体に調整手段が結合されて吊掛体のサイズを調整可能であることを特徴とする、携帯式ペット用汚物入れとしている。
請求項７の発明は、請求項１記載の携帯式ペット用汚物入れにおいて、第１内カップと第２内カップの一端に開口が設けられたことを特徴とする、携帯式ペット用汚物入れとしている。
請求項８の発明は、請求項７記載の携帯式ペット用汚物入れにおいて、第１内カップの開口に一組の相互に対応する切欠きが設けられたことを特徴とする、携帯式ペット用汚物入れとしている。
請求項９の発明は、請求項７記載の携帯式ペット用汚物入れにおいて、第２内カップの開口が傾斜端を呈することを特徴とする、携帯式ペット用汚物入れとしている。
請求項１０の発明は、請求項１記載の携帯式ペット用汚物入れにおいて、第２内カップの各辺の長さが第１内カップの各辺の長さより小さく、これにより第２内カップが第１内カップ内に挿入可能とされたことを特徴とする、携帯式ペット用汚物入れとしている。
請求項１１の発明は、請求項１記載の携帯式ペット用汚物入れにおいて、収容ラックを更に具え、該収容ラックが複数の第１内カップと第２内カップの収容に供され、且つ収容ラックの両側に透視部が設けられたことを特徴とする、携帯式ペット用汚物入れとしている。
請求項１２の発明は、請求項１１記載の携帯式ペット用汚物入れにおいて、収容ラックに第１スロットと第２スロットが設けられ、該第１スロットと第２スロットが第１内カップと第２内カップに対応し、第１内カップと第２内カップを引き出すのに供されることを特徴とする、携帯式ペット用汚物入れとしている。
請求項１３の発明は、請求項１２記載の携帯式ペット用汚物入れにおいて、収容ラックに固定部が設けられ、該固定部が吊掛体に接続されて容器と蓋体が収容ラックに取り外し自在の固定されることを特徴とする、携帯式ペット用汚物入れとしている。
請求項１４の発明は、請求項１２記載の携帯式ペット用汚物入れにおいて、収容ラックに吊掛部が設けられ、該吊掛部にロープが接続されて収容ラックが壁に吊掛られたことを特徴とする、携帯式ペット用汚物入れとしている。
【発明の効果】
【００１１】
本発明の携帯式ペット用汚物入れは少なくとも以下の長所を有する。
１．第２内カップの開口が幅広で平坦な底端と、押し込みが容易な傾斜端を具え、ペットの糞弁を簡単に掃除でき便利である。
２．内カップセットの押圧可能な構造により、収容空間を有効に縮小でき、使用の便利性と携帯の容易性を増すことができる。
３．使い捨て式の内カップセットの設計により、洗浄不要で洗浄過程での悪臭に耐える必要がなく、ペットの糞との接触を回避して動物の糞から人間への伝染病の感染を隔絶することができる。
【発明を実施するための最良の形態】
【００１２】
図１、２、３は本発明の立体分解図、組合せ表示図、及び組合せ断面図である。本発明の携帯式ペット用汚物入れは、容器１０、蓋体２０、吊掛体３０、第１内カップ４０及び第２内カップ５０で構成されている。
【００１３】
該容器１０は中空円柱体とされ、その一端に開口１１があり、該開口１１部分に階段状の嵌合部１２が形成され、別に該容器１０の壁面に複数の孔１３が開設されている。
【００１４】
該蓋体２０は一端に開口２１があり、該開口２１は容器１０の嵌合部１２に嵌合され、これにより蓋体２０と容器１０が密封容器を形成し、該蓋体２０の壁面に孔２２が設けられ、且つその別端の外側面に各種の識別用シールが貼られ、例えば飼い主の姓名或いは電話番号等の資料を記載できる。
【００１５】
該吊掛体３０はロープ等の撓み性材料で形成され、それは容器１０の孔１３及び蓋体２０の孔２２に通され、該容器１０と蓋体２０を一体に接続し、該吊掛体３０に調整手段３１が設けられ、該吊掛体３０の形成するループの大きさを調整するのに用いられて各種の異なる体型のペットの頸部に吊掛るのに供される。
【００１６】
該第１内カップ４０と第２内カップ５０はいずれも紙製の平行四辺形体とされ、最も好ましくは矩形体とされ、且つこれら内カップ４０、５０はいずれ押圧により平板状とされ得る。そのうち、第１内カップ４０の一端には開口４１があり、該開口４１に一組の相互に対応する切欠き４２が設けられ、これら切欠き４２は半円形、コ字形或いはその他の各種の異なる幾何形態とされ得るが、本実施例では半円形とされる。該第１内カップ４０の任意の二つの対角線間の距離は容器１０の内周直径より小さく、これにより第１内カップ４０が容器１０の内部に収容可能とされ、また、第２内カップ５０の一端にも開口５１が設けられ、該開口５１に傾斜端５２が形成され、第２内カップ５０の各辺の長さは第１内カップ４０の各辺の長さより小さく、これにより第２内カップ５０が第１内カップ４０の内部に対応し挿入可能とされる。
【００１７】
また、本発明の携帯式ペット用汚物入れの容器１０、蓋体２０、第１内カップ４０及び第２内カップ５０はいずれも紙製品で製造可能で、これら紙製品は環境保護のため再生紙を使用するのが最も好ましい。
【００１８】
図４は本発明の内カップセットと収容ラックの組合せ表示図である。本発明は更に収容ボックス６０を具え、該収容ラック６０は矩形体とされ、その内部に複数の第１内カップ４０と複数の第２内カップ５０を収容でき、且つ該収容ラック６０の底端と中間部分に第１スロット６１と第２スロット６２が設けられ、これら第１スロット６１と第２スロット６２はそれぞれ第１内カップ４０と第２内カップ５０に対応してこれら内カップを引き出すのに供される。また、収容ラック６０の二側には透視部６３が設けられ、該透視部６３収容ラック６０内の第１内カップ４０、第２内カップ５０の残量を確認するのに供される。更に、該収容ラック６０の上端には固定部６４及び吊掛部６５が設けられ、該固定部６４は収容ラック６０の前後に設けられた複数のホルダで組成され、該吊掛部６５はロープと接続されて収容ラック６０を壁に吊掛るのに供される。
【００１９】
図５及び図６は本発明の使用状態図（一）、（二）である。吊掛体３０をペットの頸部に吊掛け、ペットに自分で該携帯式ペット用汚物入れを携帯させ、ペットが糞をする時に、飼い主が蓋体２０を開け、第１内カップ４０と第２内カップ５０のアセンブリを取り出し、第１内カップ４０の二つの切欠き４２部分を押圧して第２内カップ５０を引出し、並びに第２内カップ５０の開口５１の幅が大きく平坦な底端を利用し、スコップのように使用してペットの糞をすくい上げ、更に第２内カップ５０を第１内カップ４０の内部に嵌合し、並びに容器１０内に置き、蓋体２０で容器１０の開口１１部分を閉じて容器１０と蓋体２０に密封された容器を形成させる。
【００２０】
図７は本発明と収容ラックの接続表示図である。そのうち、本発明の携帯式ペット用汚物入れは収容ラック６０の上面に取り付け可能で、該吊掛体３０は容器１０の外壁周囲に繞設され、並びに該吊掛体３０の二端がそれぞれ前後の固定部６４に嵌め込まれ、携帯式ペット用汚物入れと収容ラック６０が強固に結合される。
【００２１】
総合すると、本発明の携帯式ペット用汚物入れは産業上の利用性、新規性及び進歩性を有し、また本発明の構造はその出願前に同類の製品にはなくまた公開使用されておらず、刊行物にも記載がないため、完全に特許の要件を具備している。
【００２２】
なお、以上の実施例は本発明の範囲を限定するものではなく、本発明に基づきなしうる修飾或いは改変、或いはその他の関係する技術領域への直接的或いは間接的運用は、いずれも本発明の範囲に属するものとする。
【図面の簡単な説明】
【００２３】
【図１】本発明の立体分解図である。
【図２】本発明の組合せ表示図である。
【図３】本発明の組合せ断面図である。
【図４】本発明の内カップセットと収容ラックの組合せ表示図である。
【図５】本発明の使用状態図（一）である。
【図６】本発明の使用状態図（二）である。
【図７】本発明と収容ラックの接続表示図である。
【符号の説明】
【００２４】
１０  容器
１１、２１、４１、５１  開口
１２  嵌合部
１３、２２  孔
２０  蓋体
３０  吊掛体
３１  調整手段
４０  第１内カップ
４２  切欠き
５０  第２内カップ
５２  傾斜端
６０  収容ラック
６１  第１スロット
６２  第２スロット
６３  透視部
６４  固定部
６５  吊掛部
【図１】
2006042704.tif 000003
【図２】
2006042704.tif 000004
【図３】
2006042704.tif 000005
【図４】
2006042704.tif 000006
【図５】
2006042704.tif 000007
【図６】
2006042704.tif 000008
【図７】
2006042704.tif 000009